(57)【要約】【課題】本発明は、殺菌効果に優れた掃除機を提供する。【解決手段】本発明に係る掃除機は、吸引ヘッドと、本体と、前記吸引ヘッド及び前記本体を連接するホースと、前記本体内に設置されるフィルタと、を備える。前記フィルタは、光源モジュール、光触媒及び吸着体を備え、前記吸引ヘッドは空気を本体内に吸い込み、前記光触媒は、光源モジュールの励起によって本体内に吸い込まれた空気中の細菌、病菌又はゴミ等の分解を行い、前記吸着体は、分解した後の空気中に残っている有毒、有害物質及び小体積のゴミ等を吸着し、空気をさらに浄化する。【選択図】図１
2014108352.tif 000002
【特許請求の範囲】
【請求項１】
吸引ヘッドと、本体と、前記吸引ヘッド及び前記本体を連接するホースと、前記本体内に設置されたフィルタと、を備える掃除機において、
前記フィルタは、光源モジュール、光触媒及び吸着体を備え、前記吸引ヘッドは空気を本体内に吸い込み、前記光触媒は、光源モジュールの励起によって本体内に吸い込まれた空気中の細菌、病菌、ゴミ等の分解を行い、前記吸着体は、分解した後の空気中に残っている有毒、有害物質及び小体積のゴミ等を吸着し、空気をさらに浄化することを特徴とする掃除機。
【請求項２】
前記フィルタは、濾過層及びファンをさらに備え、前記ファンは、空気を前記本体内に素早く吸い込み、前記濾過層は、吸い込まれた空気中の大きな粒子状の物質を濾過するために用いられることを特徴とする請求項１に記載の掃除機。
【請求項３】
前記吸引ヘッドの底面には、ブラシが設置され、前記吸引ヘッドの内部には、振動器がさらに設置されていることを特徴とする請求項１に記載の掃除機。
【請求項４】
前記光源モジュールはライトボードと発光ダイオードとを備え、前記発光ダイオードは前記ライトボードの下方の面に設置されていることを特徴とする請求項１〜３のいずれか一項に記載の掃除機。
【発明の詳細な説明】
【技術分野】
【０００１】
本発明は、掃除機に関し、特に殺菌機能を有する掃除機に関するものである。
【背景技術】
【０００２】
従来の掃除機は、一般的に、吸引ヘッド、本体、吸引ヘッド及び本体を連接するホースを備える。掃除機が作動する時、吸引ヘッドは、吸引ヘッドに設けられた吸い込み口によって空気及びゴミ等を吸い込む。その後、吸い込まれた空気及びゴミ等は、ホースを介して本体内に入り、本体内のフィルタの濾過及びナノ光学触媒層の分解によって空気中の埃、細菌等を除去し、最後に、該埃、細菌等が除去された空気は、本体上に設置された排気口によって排出される。
【０００３】
しかし、排気口から排出された空気中には、依然として、非常に小さいため分解されずに残った有毒、有害な残留物が存在するため、人体に危害を及ぼす。
【発明の概要】
【発明が解決しようとする課題】
【０００４】
前記課題を解決するために、本発明は、殺菌効果に優れた掃除機を提供する。
【課題を解決するための手段】
【０００５】
本発明に係る掃除機は、吸引ヘッドと、本体と、前記吸引ヘッド及び前記本体を連接するホースと、前記本体内に設置されるフィルタと、を備える。前記フィルタは、光源モジュール、光触媒及び吸着体を備え、前記吸引ヘッドは空気を本体内に吸い込み、前記光触媒は、光源モジュールの励起によって本体内に吸い込まれた空気中の細菌、病菌又はゴミ等の分解を行い、前記吸着体は、分解した後の空気中に残っている有毒、有害物質及び小体積のゴミ等を吸着し、空気をさらに浄化する。
【発明の効果】
【０００６】
従来の技術と比べて、本発明に係る掃除機において、フィルタ内には、吸着体が設置されているので、分解した後の空気中に残留する体積が小さく、且つ分解しにくい有害物質がこの吸着体によって再度吸着されるため、空気を更に浄化することができ、浄化効果を向上させることができる。
【図面の簡単な説明】
【０００７】
【図１】本発明の第一実施形態に係る掃除機の本体の断面図である。
【図２】図１に示した掃除機の吸引ヘッドを反転した際の斜視図である。
【図３】本発明の第二実施形態に係る掃除機の本体の断面図である。
【発明を実施するための形態】
【０００８】
以下、図面を参照して、本発明の実施形態について説明する。
【０００９】
図１及び図２を参照すると、本発明の第一実施形態に係る掃除機１は、吸引ヘッド１０と、本体３０と、吸引ヘッド１０及び本体３０を連接するホース２０と、本体３０内に設置されたフィルタ４０と、を備える。
【００１０】
吸引ヘッド１０は、略直方体状を呈し、頂面１１及び該頂面１１の反対側に設置された底面１３を備える。底面１３の中央には、頂面１１の方向へ窪んだ矩形状の溝１５が形成されている。溝１５の底部には、ホース２０と連通する貫通孔１５１が設けられている。底面１３の四隅には、滑車５０がそれぞれ設置され、各滑車５０は様々な方向へ回転することができる。従って、吸引ヘッド１０は、この滑車５０によって方向を自由に転換することができ、異なる場所の清掃を行うことができる。
【００１１】
底面１３には、溝１５を囲むようにブラシ６０が設置されている。ブラシ６０は、物体の表面に付着している埃を払うために用いられる。これにより、埃は吸引ヘッド１０によって吸い込まれやすい。また、溝１５の開口には、濾過カバー７０がさらに設置されている。濾過カバー７０は、網目状を呈し、複数の濾過孔７０１を備える。濾過カバー７０は、大きな粒子状の物質（即ちゴミ）を濾過することができる。
【００１２】
ホース２０は、中空の管状体であり、吸引ヘッド１０の頂面１１に固定され、且つ溝１５と連通する。ホース２０は、吸引ヘッド１０によって吸い込まれた空気を本体３０内に吸い込むために用いられる。本実施形態において、ホース２０は、金属又はプラスチック材料からなる。
【００１３】
本体３０は、ホース２０の吸引ヘッド１０から離れた一端に連接された収容筒３１及び収容筒３１の底部に設置された回転輪３３を備える。本体３０は、回転輪３３によって自由に移動することができる。
【００１４】
フィルタ４０は、上方から下方に向けて順に設置された濾過層４１、ファン４３、光源モジュール４５、該光源モジュール４５と対応する光触媒４７、吸着体４９を備える。
【００１５】
濾過層４１は、平板状を呈し、且つ濾過層４１の上表面から下表面までを貫通するメッシュ（図示せず）を備える。該メッシュは、空気中の大きな粒子状の物質を濾過するために用いられる。濾過層４１は、金属又はプラスチック材料からなる。
【００１６】
ファン４３は、電気回路（図示せず）に接続され、空気をフィルタ４０内に素早く吸い込むために用いられる。
【００１７】
光源モジュール４５は、ライトボード４５１及び該ライトボード４５１上に互いに離間して設置された複数の発光ダイオード４５３を備える。ライトボード４５１には、空気を通すための複数の通気孔４５５が設けられており、複数の通気孔４５５は、隣接する発光ダイオード４５３の間にそれぞれ設置されている。発光ダイオード４５３は、その下方に位置する光触媒４７を励起するために用いられる。発光ダイオード４５３は、２００ｎｍ〜２７５ｎｍの波長の光を放出することができるＵＶ発光ダイオードである。他の実施形態において、前記ＵＶ発光ダイオードが放出する光の波長は３２０ｎｍ〜４００ｎｍであっても良い。
【００１８】
光触媒４７は、ナノレベルの金属酸化物である。光触媒４７は、紫外線の作用下で強力な触媒分解機能を生成することができる。これにより、空気中の有毒、有害な物質を効果的に分解して様々な細菌を殺菌し、且つ細菌や真菌から放出された毒素を分解して無害化することができる。また、光触媒４７は、消臭、除汚等の機能をさらに有する。本実施形態において、光触媒４７はナノレベルの二酸化チタンである。
【００１９】
吸着体４９は、分解した後の空気中に残留する小体積の有害物質を吸着するために用いられる。これにより、空気をさらに浄化することができる。本実施形態において、吸着体４９は活性炭である。
【００２０】
図３を参照すると、本発明の第二実施形態に係る掃除機１において、さらにブラシ６０の埃等を払う機能の効果を向上させるために、吸引ヘッド１０内に振動器８０を設置する。該振動器８０は、所定の周波数によって物体表面に付着している埃等を払うようにブラシ６０を駆動させる。これにより、払い落とされた埃等は吸引ヘッド１０によって容易に吸い込まれる。
【００２１】
掃除機１が作動する時、先ず、ファン４３が回転し、吸引ヘッド１０がファン４３の駆動によって空気を吸い込む。次いで、吸い込まれた空気は、ホース２０を介して本体３０内に吸い込まれ、フィルタ４０によって濾過された後、排気口３５を介して排出される。
【００２２】
吸引ヘッド１０に濾過カバー７０が設置されているので、吸引ヘッド１０によって吸い込まれた空気中の大きなゴミ等は、濾過カバー７０によって濾過される。次に、濾過カバー７０によって濾過された空気は、本体３０内に入り、且つ順に濾過層４１、光源モジュール４５の通気孔４５５、光触媒４７及び吸着体４９を通過する。空気が濾過層４１を通過した際、前記空気中の大きなゴミ等は更に濾過層４１によって濾過される。これにより、1回目の浄化が行われる。次いで、この浄化された空気は、光源モジュール４５の通気孔４５５を介して光触媒４７に入る。この時、光触媒４７は、発光ダイオード４５３の励起によって強力な触媒分解機能を生成するので、空気中のゴミ、細菌又は病菌を分解し、空気中の有毒、有害な物質を減らすことができる。分解された後の空気中には、依然として非常に小さく、且つ分解し難い有毒、有害な残留物が一部存在するため、更に吸着体４９を通過させて、固体微粒子及び有毒、有害な残留物をこの吸着体４９によって吸着させる。これにより、２回目の浄化が行われる。最後に、この浄化された空気は、ファン４３の駆動によって、収容筒３１の底端に形成された複数の排気口３５を介して排出される。
【００２３】
本発明の掃除機１において、光源モジュール４５が収容筒３１内に設置され、光源モジュール４５の上方に濾過層４１が設置され、且つ発光ダイオード４５３はライトボード４５１の下方の面に設置されているので、濾過層４１によって濾過された空気がライトボード４５１の通気孔４５５を通過する時、発光ダイオード４５３の表面にゴミ等が付着しない。
従って、発光ダイオード４５３の発光効果を確保することができる。また、本体３０内に吸着体４９が設置されているので、分解した後の空気中に残留する体積が小さく、且つ分解しにくい有害物質がこの吸着体４９によって再度吸着されるため、空気を更に浄化することができ、浄化効果を向上させることができる。
【符号の説明】
【００２４】
１  掃除機
１０  吸引ヘッド
１１  頂面
１３  底面
２０  ホース
３０  本体
３１  収容筒
３３  回転輪
４１  濾過層
４３  ファン
４５  光源モジュール
４７  光触媒
４９  吸着体
３５  排気口
４０  フィルタ
４５１  ライトボード
４５３  発光ダイオード
４５５  通気孔
６０  ブラシ
７０  濾過カバー
１５  溝
１５１  貫通孔
７０１  濾過孔
５０  滑車
８０  振動器
【図１】
2014108352.tif 000003
【図２】
2014108352.tif 000004
【図３】
2014108352.tif 000005